(57)【要約】【構成】本発明は、実質的に相互に対向する２つの端部で開放可能で、かつ再閉鎖可能な容器に関する。具体的には、本発明の容器は例えば円形の基部（２）を有し、この基部から例えば円筒形の側壁（３）が好ましくは直交方向に立ち上がり、収束し、キャップによって閉じられる第１開口で終端する首部を形成する。本発明容器はさらに基部付近または基部に設けられ、かつ基部の一部であり、例えば矩形の舌状部（５、３６、３８）によって閉じられる第２開口を有する。第２開口があるため、容器が空に近くなった時に、容器内部に残り、基部に付着している物質を第２開口から簡単に取り出すことができる。【選択図】図１
2019529270.tif 000002
【特許請求の範囲】
【請求項１】
容器（１、１０、２０、３０、４０、５０）であって、
第１端部に位置する基部（２）、
この基部（２）から立ち上がる少なくとも一つの側壁（３）、
前記第１端部に対して実質的に対向する第２端部に設けられた第１開口、および
前記第１開口を可逆的に閉じる第１手段（５、３６、３８）を有する容器（１、１０、２０、３０、４０、５０）において、
さらに、
前記基部（２）か前記基部（２）に近接した前記側壁（３）に設けられた第２開口、および
前記第２開口を可逆的に閉じる第２手段（８、１２、２１、３５、３７、４１、４２、５１、５２、５３）を有し、
前記基部（２）が、前記第２開口が前記基部（２）に位置している時に前記第２閉鎖手段（１２、２１、４１、４２、５１、５２、５３）を有し、そして
前記側壁（３）が、前記第２開口が前記側壁（３）に位置している時に前記第２閉鎖手段（８、３５、３７）を有することを特徴とする容器。
【請求項２】
前記第２開口が前記側壁（３）に位置している時に、前記第２開口が前記基部（２）から得られる請求項１に記載の容器（１、３０）。
【請求項３】
前記閉鎖手段が、前記側壁（３）か前記第２開口に位置している前記基部（２）の残りの部分に連結できる舌状部（８、１２、３５、３７、４１、４２）を有する請求項１または２に記載の容器（１、１０、３０、４０）。
【請求項４】
前記第２開口が前記基部（２）に位置している時に、前記基部（２、２１、５１、５２、５３）を少なくとも部分的に前記側壁（３）に接続でき、また前記側壁（３）から切り離すことができる請求項１に記載の容器（２０、５０）。
【請求項５】
前記基部（２、２１、５１、５２、５３）を嵌合によって前記側壁（３）に接続でき、また前記側壁（３）から切り離すことができる請求項４に記載の容器（２０、５０）。
【請求項６】
前記側壁（３）が雄ネジを刻んだ円筒形端部を有し、前記基部（２）が雌ネジを刻んだ円筒壁（２１）を有し、そして前記基部（２）が前記円筒壁（２１）に位置する前記端部の前記側壁（３）に螺合できる請求項５に記載の容器（２０）。
【請求項７】
前記基部（２、５１、５２、５３）および前記側壁（３）が少なくとも部分的に前記容器（３０、４０、５０）内部の空間部分の範囲を区切り、
前記側壁が前記空間部分に少なくとも部分的に収容された少なくとも一つの仕切り壁（３２）を有し、かつこの仕切り壁が前記空間部分を前記基部（２、５１、５２、５３）から前記第２端部まで延在する少なくとも２つの区画（３３、３４）に仕切り、
前記容器（３０、４０、５０）がさらに複数の前記第１および第２開口（３５、３６、３７、３８、４１、４２、５１、５２、５３）を有し、そして前記容器（３０、４０、５０）が前記第１開口のうちの少なくとも一つ、および前記区画（３３、３４）それぞれの第２開口のうちの少なくとも一つを有する請求項１に記載の容器（３０、４０、５０）。
【発明の詳細な説明】
【技術分野】
【０００１】
本発明の適用分野は、少なくとも一種の好ましくは粘性のある、より好ましくは衛生製品およびクリーニング製品の範囲に属する液体物質（ｌｉｑｕｉｄ  ｓｕｂｓｔａｎｃｅ）を収容する容器の分野である。例えば、“粘性物質”とは市場から入手できる一般的なシャンプーを指す。より正確にいうと、本発明は実質的に対向する端部で開放可能かつ再閉鎖可能な容器に関する。
【背景技術】
【０００２】
液体物質を収容する容器は全体として、好ましくは平坦な固定基部を有し、この基部から側壁が立ち上がり、そしてこの側壁が収束し、該基部に対して実質的に対向する容器の端部に設けられた開口で終端する首部を形成する。この開口があるため、封入されている液体物質を容器から取り出すことができる。また、この開口は特定のキャップによって可逆的に閉鎖できる（即ち、開放可能でかつ再閉鎖可能である）。
【０００３】
容器に（シャンプー、コンディショナー、泡立て溶剤、石鹸、クリームや洗浄剤などの）粘性物質を封入すると、この物質が容器の基部および側壁に付着するため、これを傾けるか、上下を逆にすることによって、物質が重力によって容器から流出するが、その速度は使用に適さないほど遅い。このため、本発明の適用対象である容器の側壁が簡単に圧縮される傾向がある。実際、容器が圧縮されると、容量が小さくなり、封入されている物質が開口から流出し、容器から放出される。
【０００４】
容器が空に近づくと、十分に圧縮できなくなるため、残っている物質がいつ流出するのかが決せられない。容器から残っている物質を引き出すためには、上下を逆にし、物質がその重量力によってキャップに溜まることを待つ必要がある。これには比較的長い時間が必要である。
【発明の概要】
【発明が解決しようとする課題】
【０００５】
即ち、本発明の目的は、粘性のある液体物質を封入でき、かつ容器が空に近づいた時でも該物質を簡単に取り出すことができる容器を提供することによって上記問題を解決することにある。
【課題を解決するための手段】
【０００６】
本発明の容器は、
第１端部における基部、
上記基部から立ち上がる少なくとも一つの側壁、
上記第１端部に対して実質的に対向する第２端部に設けられた第１開口、および
上記第１開口を可逆的に閉じる第１閉鎖手段を有する上に、さらに
上記基部か、あるいはこの基部に近接する上記側壁に設けられた第２開口を有し、そして
上記第２開口が上記基部にある時には、この第２開口を可逆的に閉じる第２閉鎖手段を有し、そして上記第２開口が上記側壁にある時には、上記側壁が上記第２閉鎖手段を有する。
【０００７】
容器が空に近い場合、残りの物質は基部にある。容器を基部か、あるいはその付近で開放できるため、第２開口を介して残っている物質を容器から簡単に取り出すことができる。この場合、容器を圧縮できるか、あるいは上下を逆にできるかは関係ない。
【０００８】
第２閉鎖手段が容器の基部内か、あるいは側壁にあるため（従って容器の基部または側壁の一部が第２開口のキャップとして作用するため）、第２閉鎖手段を設けるさいに本発明の容器に余分な部材を付け加える必要はない。より正確にいうと、第２閉鎖手段は容器の基部または側壁を適正に切断および／または変形させる（貫通溝、破断が簡単に生じる破断線、および折りたたみが簡単に生じる折りたたみ線などが形成する）ことによって実現できる。第２閉鎖手段が（例えば折りたたみが簡単に生じる折りたたみ線を有する接続部などによって）容器の基部または側壁の残りの部分から完全に取り外すことができない場合、第２開口が閉じていない時に（即ち第２開口が開いている時に）この第２閉鎖手段が失われる恐れはない。
【０００９】
上記以外の本発明の革新的な特徴については、特許請求の範囲の従属項に記載している通りである。
【発明の効果】
【００１０】
本発明の第１態様では、基部は少なくとも部分的に容器の側壁に接続でき、かつ取り外すことができる。
【００１１】
即ち、本発明の第１態様によれば、基部を少なくとも部分的に可逆的に容器の側壁から取り外すことができ、有利である。このため、容器が空になった場合に、あるいは空に近くなった場合に容器を簡単に再充填できる。
【００１２】
本発明の第２態様では、容器の基部および側壁が少なくとも部分的に容器の内側スペース部分を確定し、この場合の容器はこのスペース部分に少なくとも部分的に収まり、かつスペース部分を基部から容器の上記第２端部まで延在する少なくとも２つの区画に仕切る少なくとも一つの仕切り壁を有する。この容器はさらに複数の上記第１開口および第２開口およびそれぞれ対応する複数の第１閉鎖手段および第２閉鎖手段を有し、また上記区画毎に、（対応する第１閉鎖手段を備えた）上記第１開口のうちの少なくとも一つおよび（対応する第２閉鎖手段を備えた）上記第２開口のうちの少なくとも一つを有する。
【００１３】
一つかそれ以上の仕切り壁が存在するため、本発明の容器は複数の物質（例えばシャンプーおよびヘアコンデショナーなど）を相互に分離して収容できる。
【図面の簡単な説明】
【００１４】
本発明の上記以外の目的および作用効果については、本発明の例示的な実施態様の以下の詳細な説明および例示のみを目的として添付する図面から明確に理解できるはずである。
【００１５】
【図１】図１は、本発明の容器を示す斜視図である。
【図２】図２は、図１に示す容器の第１実施態様を示す斜視図である。
【図３】図３は、図１に示す容器の第２実施態様を示す斜視図である。
【図４】図４は、図１に示す容器の第３実施態様を示す斜視図である。
【図５】図５は、図１に示す容器の第４実施態様を示す斜視図である。
【図６】図６は、図１に示す容器の第５実施態様を示す斜視図である。
【発明を実施するための形態】
【００１６】
以下、明示的に示されていないが、他の図面に示されている要素を参照して説明を行う。各種の要素の縮尺および割合については、必ずしも実際の値に対応するものではない。
【００１７】
図１は、シャンプーや整髪剤などの粘性のある液体物質を収容する本発明の容器１を示す図である。容器１は例えば円形の基部２を有し、この基部２から例えば円筒形の側壁３が好ましくは直交的に立ち上がり、かつ収束して（ｃｏｎｖｅｒｇｅｓ）、キャップ５によって閉められる第１開口で終端する首部４を形成する。例えば、容器１は実質的に細長い形状を有し、第１端部に基部２があり、そして第１端部に実質的に対向する第２端部にキャップ５とともに第１開口がある。キャップ５については円形上部６を有しているのが好ましく、この円形上部を雌ネジを刻んだ円筒形側壁７に直交方向に接続し、雄ネジが刻まれた、第１開口に隣接する首部４の対応する部分に捩じ込むことできるようにするのが好ましい。キャップ５は所定回数首部４に捩じ込み、首部４から取り外すことができるため、第１開口の可逆的閉鎖手段として作用する。上記の接続方法の代わりに、キャップ５は首部４に連結してもよく、あるいは任意の実質的に公知な方法で接続してもよい。
【００１８】
容器１の公知型式の容器と異なる点は、第２開口を基部２付近に設け、この第２開口を例えば実質的に矩形状の舌状部８（ｔｏｎｇｕｅ  ８）によって閉じる点にある。第２開口については、基部２から立ち上がる側壁３に設けるのが好ましく、かつその幅が舌状部８の幅と実質的に同じであるのが好ましい。舌状部８については、基部２に対して直交方向にある（即ち容器に対して長手方向にある）長辺側部に配置し、基部２から離間し、かつ側壁３の残りの部分に蝶番止めした短辺側部９を有する側壁３の部分で構成するのが好ましい。舌状部８は第１部分（側壁３の上記残りの部分に舌状部８が連結するため、上記第２開口を好ましくは気密的に閉じる部分）と第２部分（舌状部８が第２開口を閉じない部分）との間で回転できる。第１開口に対するキャップ５の場合と同様に、舌状部８は第２開口の可逆的な閉鎖手段として作用する。なお、舌状部８は側壁３の一部であるため、側壁３は第２開口の上記閉鎖手段を有する。換言すると、側壁３の一部は第２開口のキャップとして作用する。
【００１９】
側部９に位置する側壁３の残りの部分に蝶番止めする代わりに、舌状部８を側部９に対向する短辺側部に位置する基部２に蝶番止めしてもよい。さらに、実質的に矩形にする代わりに、舌状部８を等脚台形（ｉｓｏｓｃｅｌｅｓ  ｔｒａｐｅｚｉｕｍ）状にしてもよく、この場合基部２に短辺（ｍｉｎｏｒ  ｂａｓｅ）が位置する。舌状部８と基部２との接続は、折りたたみが簡単な折りたたみ線によって行えばよい。側壁３はさらに舌状部８の大きな基部に凹部（図示省略）を有していてもよく、この凹部に容器使用者の指を挿入できる。上記溝に指先を挿入することによって、舌状部８を第１位置から第２位置へ簡単に回転させることができる。
【００２０】
図２は、第２開口を基部２に近接して設けるのではなく、基部２に設ける点で容器１とは異なる容器１０を示す図である。より正確にいうと、第２開口については、基部２の円形縁部１１から形成し、かつ例えば形状が実質的に矩形である舌状部１２（ｔｏｎｇｕｅ  １２）によって閉じるのが好ましい。第２開口の幅は実質的に舌状部１２と同じである。舌状部１２については、円形縁部１１に対して直交方向にある（即ち容器１０に対して長手方向にある）長辺側部に配置し、縁部１１から離間し、かつ側壁３の残りの部分に蝶番止めした短辺側部を有する基部２の部分で構成するのが好ましい。舌状部１２は第１部分（基部２の上記残りの部分に舌状部１２が連結するため、上記第２開口を好ましくは気密的に閉じる部分）と第２部分（舌状部１２が第２開口を閉じない部分）との間で回転できる。第１開口に対するキャップ５の場合と同様に、舌状部１２は第２開口の可逆的な閉鎖手段として作用する。なお、舌状部１２は基部２の一部であるため、基部２は第２開口の上記閉鎖手段を有する。換言すると、基部２の一部は第２開口のキャップとして作用する。
【００２１】
側部１３に位置する基部２に蝶番止めする代わりに、舌状部１２を側部１３に対向する短辺側部に位置する側基部３の残りの部分に蝶番止めしてもよい。さらに、実質的に矩形にする代わりに、舌状部１２を等脚台形（ｉｓｏｓｃｅｌｅｓ  ｔｒａｐｅｚｉｕｍ）状にしてもよく、この場合側壁３に短辺（ｍｉｎｏｒ  ｂａｓｅ）が位置する。舌状部１２と側壁３との接続は、折り曲げが簡単な線によって行えばよい。基部２はさらに舌状部１２の大きな基部に凹部（図示省略）を有していてもよく、この凹部に容器使用者の指を挿入できる。上記溝に指先を挿入することによって、舌状部１２を第１位置から第２位置へ簡単に回転させることができる。舌状部１２が第１位置にある時に（即ち第２開口が閉じている時に）、舌状部１２は基部３の残りの部分と同一平面にあるのが（即ち舌状部１２が基部３の残りの部分に対して突出していないのが）好ましい。従って、舌状部１２があっても、本発明の容器の基部３が不安定になることはない。
【００２２】
図３は、第２開口が基部２と実質的に同じ広さをもつ点で容器１０とは異なる容器２０を示す図である。容器２０は側壁３から切り離すことができ、かつ側壁３に再接続でき、舌状部１２の代わりに第２開口それ自体の可逆的閉鎖手段として作用する。基部２は例えば雌ネジを刻んだ円筒形側壁２１を有し、第２開口に隣接し、かつ雄ネジを刻んだ側壁３の対応する端部に捩じ込むことができる。側壁３に対して螺合する代わりに、基部２を側壁３に連結してもよく、ネジを刻んでいない円筒形側壁２１が、同様にネジを刻んでいない上記端部に嵌合する。
【００２３】
図４は、形状が円筒形である点で容器１とは異なる容器３０を示す図である。首部４に収束する代わりに、側壁３は実質的に基部２に同等な第２基部３１で終端する。容器３０はさらに好ましくは矩形の仕切り壁３２を有し、この仕切り壁３２は基部２および３１に直交し、かつ容器３０内に、即ち基部２、３１および側壁３によって区切られた空間部分内に収容されている。仕切り壁３２については、容器３０の長手方向対称面に配置し、上記空間部分を気密的に２つの区画３３および３４に仕切りことが好ましい。これら区画３３および３４は下部基部２から上部基部３１まで延在する。容器３０は４つの開口を基部２および３１に有し、これら基部は４つの対応する舌状部３５、３６、３７および３８によって閉じる。より詳しくは、区画３３および３４のそれぞれには、２つの基部２および３１に２つの開口を設ける。図４左側の区画３３は下部基部２に開口を有し、この開口は容器１の第２開口に実質的に相当し、舌状部８に相当する舌状部３５によって閉じられる。区画３３はさらに上部基部３１に容器１０の第２開口に実質的に相当する開口を有し（ただし、基部２の代わりに基部３１に設けられる事実を除く）、この開口は舌状部１２に相当する舌状部３６によって閉じられる。同様に、図４右側の区画３４は下部基部２に容器１の第２開口に実質的に相当する開口を有し舌状部８に相当する舌状部３７によって閉じられる。区画３４はさらに上部基部３１に容器１０の第２開口に実質的に相当する開口を有し（ただし、基部２の代わりに基部３１に設けられる事実を除く）、この開口は舌状部１２に相当する舌状部３８によって閉じられる。このように、区画３３および３４それぞれは、容器３０の２つの端部２つの開口を有し、これら開口は一対の舌状部によって可逆的（ｒｅｖｅｒｓｉｂｌｙ）に閉じられる。
【００２４】
図５は、基部２における２つの開口が容器１の第２開口の代わりに容器１０の第２開口に実質的に相当し、舌状部１２に相当する２つの舌状部４１および４２によって閉じられる点において容器３０とは異なる容器４０を示す図である。
【００２５】
図６は、基部２における２つの開口が、全体として、実質的に同じ広がりを有する点で容器４０とは異なる容器５０を示す図である。基部２は２つの実質的に半円形の部分５１および５２を有し、これら部分は相互対称的で、上記開口において側壁３から切り離すことができ、また側壁３に再接続できるため、舌状部４１および４２の代わりに上記開口の可逆的な閉鎖手段として作用する。特に全体として考えると、基部２は側壁３に連結され、好ましくは、２つの部分５１および５２の間に仕切られ、かつ側壁３の端部に嵌合する円筒形側壁５３を有する。
【００２６】
本発明の容器については、以上の実施態様においてポリマー材料で構成するのが好ましい。
【００２７】
好適な実施態様の以上の説明によれば、当業者にとっては、特許請求の範囲に記載された本発明の範囲から逸脱せずに本発明に変更を加えることが可能なことは明らかなはずである。
【符号の説明】
【００２８】
１、１０、２０、３０、４０、５０：容器
２：下部基部、基部
３：側壁
４：首部
５：キャップ
６：円形上部
７、２１、５３：円筒形側壁
８、１２、３５、３６、３７、３８、４１、４２：舌状部
９、１３：側部
１１：円形縁部
３１：第２基部、上部基部、基部
３２：仕切り壁
３３、３４：区画
５１、５２：部分
【図１】
2019529270.tif 000003
【図２】
2019529270.tif 000004
【図３】
2019529270.tif 000005
【図４】
2019529270.tif 000006
【図５】
2019529270.tif 000007
【図６】
2019529270.tif 000008
【手続補正書】
【提出日】平成30年1月8日(2018.1.8)
【手続補正１】
【補正対象書類名】特許請求の範囲
【補正対象項目名】全文
【補正方法】変更
【補正の内容】
【特許請求の範囲】
【請求項１】
容器（５０）であって、
第１端部に位置する基部（２）と、
前記基部（２）から立ち上がる少なくとも一つの側壁（３）であって、この側壁（３）と前記基部（２）が前記容器（５０）内部の空間部分の範囲を少なくとも部分的に区切る側壁（３）と、
前記空間部分に少なくとも部分的に収容され、この空間を前記基部（２）から実質的に前記第１端部に対向する前記容器（５０）の第２端部まで延在する少なくとも２つの区画（３３、３４）に仕切る少なくとも一つの仕切り壁（３２）と、
前記第２端部に位置する複数の第１開口と（前記容器（５０）は前記区画（３３、３４）それぞれの前記第１開口のうちの一つを有する）、
前記第１開口を可逆的に閉じる第１手段（３６、３８）と、
前記基部（２）に位置する複数の第２開口と（前記容器（５０）は前記区画（３３、３４）それぞれの前記第２開口のうちの一つを有する）、
前記第２開口を可逆的に閉じる第２手段（５１、５２、５３）を有する容器（５０）であって、前記基部（２）が前記第２閉鎖手段（５１、５２、５３）を有する容器（５０）において、
前記第２開口が、全体として、前記基部（２）と実質的に同じ広がりを有し、
前記基部（２）を少なくとも２つの部分（５１、５２）に分け、これら部分（５１、５２）のうちの一つが前記区画（３３、３４）のそれぞれに位置し、
そして前記第２閉鎖手段として作用するように、前記部分（５１、５２）のそれぞれが前記側壁（３）から切り離され、また前記側壁（３）に再接続できることを特徴とする容器（５０）。
【請求項２】
前記側壁（３）が円筒形で、前記基部（２）の前記部分（５１、５２）が半円形でかつ相互対称形である請求項１に記載の容器（５０）。
【請求項３】
前記基部（２）が前記基部（２）の前記部分（５１、５２）間に仕切られた円筒形縁部（５３）を有し、かつ前記側壁（３）の端部に嵌合できる請求項２に記載の容器（５０）。
【請求項４】
前記縁部（５３）を介して、前記基部（２）の前記部分（５１、５２）を前記側壁（３）の前記端部に嵌合によって接続でき、また前記端部から切り離すことができる請求項３に記載の容器（５０）。
【国際調査報告】
2019529270.tif 000009
2019529270.tif 000010